(57)【特許請求の範囲】
【請求項１】
直流電源装置と；
直流電源装置の出力端間に互いに直列的に設けられ、それぞれのゲート及びソースが互いに接続されて交互にオンオフするＮ形およびＰ形の相補形の電界効果トランジスタと；
電界効果トランジスタのスイッチング出力に基づき交流電圧を放電灯に供給する負荷回路と；
負荷回路に設けられ、負荷回路の交流成分の一部を帰還して各電界効果トランジスタをオンオフ制御する帰還巻線と；
前記相補形の電界効果トランジスタのゲート・ソース間に互いに逆向きに直列接続されて設けられ、それぞれ電圧値が異なる一対の定電圧素子と；
を具備しており、正負のランプ電流波形または正負のランプ電流値が異なる交流電圧を放電灯に供給し、放電灯のストライエーションを抑止することを特徴とする放電灯点灯装置。
【請求項２】
照明器具本体と；
請求項１記載の放電灯点灯装置と；
放電灯点灯装置により点灯される放電灯と；
を具備していることを特徴とする照明装置。
【発明の詳細な説明】
【０００１】
【発明の属する技術分野】
この発明は、スイッチング装置を主として構成される電子式の点灯装置にて放電灯を点灯する放電灯点灯装置および照明装置に関する。
【従来の技術】
従来、この種装置として特開平８−２３６２８７号公報のものが提案されている。このものは、互いに直列的に接続された一対の電圧駆動形のスイッチング装置を交互にオンオフし、これらスイッチング装置にて得られたスイッチング出力で放電灯を高周波点灯しようとするものである。
【０００２】
この従来技術においては、放電灯と直列に設けられた変流器に二次巻線を設け、二次巻線の出力電圧によって一対のスイッチング装置を交互にオンオフさせるようになっている。そして、二次巻線による電圧が電圧駆動形のスイッチング装置の制御極および主極間に過大な駆動電圧が印加しないよう一定化するために、それぞれのスイッチング装置に対して定電圧素子が設けられている。
【０００３】
【発明が解決しようとする課題】
放電灯たとえば熱陰極形のけい光ランプは、低温時、調光点灯時のようなランプ電流低減時には、発光が縞状になるストライエーションと称される現象を呈するという問題がある。上記特開平８−２３６２８７号公報のものは、このストライエーションの問題を解決するための構成を示していないし、結果的に解決できるものでもない。
【０００４】
一方、ストライエーションの問題を解決するための手段として、ランプ電流の正負の波形、ランプ電流の正負の値を異ならせることが有効であることが知られている（たとえば、特公平２−１１９９５号公報）。
【０００５】
しかしながら、従来においては、ランプ電流の正負の波形、値を異ならせるために、多くの場合、格別な部品を要するため、装置全体が高価格化、大形化する要因になる。
【０００６】
本発明は、格別な部品の追加をなくすか最少に抑えて、装置全体を高価格化、大形化することなくストライエーションの問題を解決可能な放電灯点灯装置および照明装置を提供することを目的とする。
【０００７】
【課題を解決するための手段】
請求項１記載の放電灯点灯装置は、直流電源装置と；直流電源装置の出力端間に互いに直列的に設けられ、それぞれのゲート及びソースが互いに接続されて交互にオンオフするＮ形およびＰ形の相補形の電界効果トランジスタと；電界効果トランジスタのスイッチング出力に基づき交流電圧を放電灯に供給する負荷回路と；負荷回路に設けられ、負荷回路の交流成分の一部を帰還して各電界効果トランジスタをオンオフ制御する帰還巻線と；前記相補形の電界効果トランジスタのゲート・ソース間に互いに逆向きに直列接続されて設けられ、それぞれ電圧値が異なる一対の定電圧素子と；を具備しており、正負のランプ電流波形または正負のランプ電流値が異なる交流電圧を放電灯に供給し、放電灯のストライエーションを抑止することを特徴とする。
【０００８】
本発明および以下の発明において、特に限定しない限り、各構成、用語等はつぎのように定義される。
【０００９】
負荷回路は、放電灯に電力を供給して点灯するもので、必要に応じて放電灯を安定点灯するための限流インピーダンス素子、フィラメント予熱回路等を含むものである。このような負荷回路自体は各種のものが周知であり、また、当業者が適宜構成し得るものであるから、本発明においては、これらのものを適宜採用し得る。
【００１０】
帰還巻線は、各スイッチング装置に対して共通であっても、格別に設けられたものであってもよい。
【００１１】
定電圧素子は、代表的にはツェナーダイオードであるが、バリスタ等他の素子を用いることも可能である。定電圧素子の定電圧値は、スイッチング装置がオンできる程度に選定される。そして、各スイッチング装置に対応する定電圧素子の電圧値が異なる程度は、スイッチング装置の制御極・主極間に印加される駆動電圧が異なることによって、各スイッチング装置のオン期間が異なる程度を要する。たとえば、同種で同定格のスイッチング装置の場合、制御極・主極間に印加する電圧の比を１：１．１以上、好ましくは１：１．５以上とする。なお、定電圧素子にインピーダンス素子を付加してもよい。また、各スイッチング装置に対応して設けられとは、それぞれの駆動電圧を一定化できることを意味し、回路接続的に対応しているか否かは問わない。
【００１２】
なお、放電灯としては、熱陰極形のけい光ランプ、冷陰極形のけい光ランプ、希ガス放電灯等ストライエーションの現象を呈する可能性のあるものが本発明の対象となる。
【００１３】
また、相補形の電界効果トランジスタのスイッチング周波数は特に限定されないが、可聴周波数以上であり、かつ、発光効率を高められるという点で、２０ＫＨz以上が好ましい。
【００１４】
請求項１記載の発明は、帰還巻線の出力を相補形の電界効果トランジスタに駆動電圧として印加し、相補形の電界効果トランジスタを交互にオンオフする。定電圧素子は、各スイッチング装置に印加される駆動電圧を略一定値に抑える。そして、各定電圧素子の電圧値が異なることにより、各スイッチング装置のオン期間が異なるようになり、放電灯に正負の波形が異なるランプ電流を流すことが可能になる。
【００１５】
すなわち、帰還巻線が変流器の場合、定電圧素子は変流器の負荷ともなるから、各定電圧素子の電圧値が異なることにより、変流器の相補形の電界効果トランジスタに対応した極性時の（負荷電圧値）×（負荷電流値）は異なることになる。変流器の飽和時間は、自己の（負荷電圧値）×（負荷電流値）に依存するから、相補形の電界効果トランジスタに応じて飽和時間が変化する。これにより、相補形の電界効果トランジスタのオン期間が異なるようになり、放電灯に正負で波形の異なる電流を流すことが可能になる。
【００１６】
また、帰還巻線が変圧器の場合、相補形の電界効果トランジスタの駆動電圧（ゲート・ソース間電圧）が異なることによって、電界効果トランジスタの特性上各スイッチング装置のオン抵抗が異なり、ドレイン電流が異なる。このため、一対のスイッチング装置で同じ電流（実効値）を流すにはオン期間が異なることになる。もって、ランプ電流の正負の波形が異なるようになる。
【００１７】
一対の定電圧素子は、相補形の電界効果トランジスタに過大な駆動電圧が印加しないように設けられる。
【００１８】
一対の定電圧素子は、それぞれ電圧値が異なるが、相補形の電界効果トランジスタに印加される駆動電圧を一定化するように設けられる。
【００１９】
共振回路は直列共振回路、並列共振回路のいずれでもよく、スイッチング装置の接続構成に応じて適宜構成可能である。
【００２０】
相補形の電界効果トランジスタは、直流電源装置の出力端間に互いに直列的に設けられている。
【００２１】
本発明において、直列的に設けられとは、直接直列接続されている場合および中間に他の部品を介して直列接続されている場合の両方を含むことを意味する。並列的も同様に定義される。
【００２２】
相補形の電界効果トランジスタは、Ｎ形およびＰ形の相補形の電界効果トランジスタからなる。
【００２３】
相補形の電界効果トランジスタは、帰還巻線の出力によってを交互にオンオフするように作用する。
【００２４】
請求項２記載の照明装置は、照明器具本体と；請求項１記載の放電灯点灯装置と；放電灯点灯装置により点灯される放電灯と；を具備していることを特徴とする。
【００２５】
請求項２の発明において、照明器具本体は屋内用、屋外用を問わないし、一般照明用の他、表示用、ＯＡ機器用等であってもよい。また、反射体や遮光体等の制光体を有していてもいなくてもよいし、電球形のものであってもよい。さらに、放電灯点灯装置は、照明器具本体に収納されていてもいなくてもよい。
【００２６】
請求項２の発明は、請求項１の発明と同様な作用の照明装置となる。
【００２７】
【発明の実施の形態】
つぎに、本発明の一実施形態を説明する。
【００２８】
図１は本発明の一実施形態を示す回路図、図２は図１の実施形態の作用を示す電流波形図である。１は直流電源装置である。この直流電源装置１は、交流電源２に接続される電流フューズ、この電流フューズ３を介して交流電源３に接続される高周波カットフィルタ４を有する。また、高周波カットフィルタ４を介して交流電圧を入力される整流装置５、この整流装置５の出力端間に設けられた平滑コンデンサ６、限流用の抵抗７を有する。
【００２９】
８、９は互いに直列的に接続された一対の電圧駆動形のスイッチング装置であり、本実施形態では電界効果トランジスタである。スイッチング装置８はＮ形であり、スイッチング装置９はＰ形であって、それぞれのソース同志が接続されている。また、各スイッチング装置８、９のゲートも互いに接続されている。スイッチング装置９のソース・ドレインには、コンデンサ１０と抵抗１１とがそれぞれ並列接続されている。
【００３０】
１２は負荷回路である。この負荷回路１２は、スイッチング装置９に対して並列的に設けられており、帰還手段１３としての変流器の入力巻線１３a、限流用のインダクタ１４、直流カットコンデンサ１５、けい光ランプである放電灯１６および放電灯１６のフィラメント加熱用コンデンサ１７を含んでいる。本実施形態の負荷回路１２は、前記限流用のインダクタ１４およびフィラメント加熱用コンデンサ１７が直列共振するように定数設定されており、したがって、共振電圧を放電灯１６に印加する。放電灯１６の点灯前と点灯後とでは、放電灯１６の抵抗成分の有無に応じて共振特性が変化する。放電灯１６の点灯前の方が、共振の尖鋭度は大きくなるように設計されている。
【００３１】
前記帰還手段１３には１つの出力巻線１３bが設けられており、この出力巻線１３bの出力は前記各スイッチング装置８、９のゲート・ソース間に印加されるようになっている。
【００３２】
また、各スイッチング装置８、９のゲート・ソース間に対しては、定電圧素子１８、１９および限流および電圧調整用の抵抗２０の直列回路が並列に接続されている。ここで、定電圧素子１８、１９の電圧値は異なっている。たとえば、定電圧素子１８の電圧値：定電圧素子１９の電圧値を１：１．５としている。なお、抵抗２０は場合によっては省略可能である。
【００３３】
抵抗２１、２２は前記抵抗１１とともに始動回路を構成するものである。なお、抵抗２２は、出力巻線１３aの両出力端間に各スイッチング装置８、９のゲート・ソースとともに直列的に設けられている。したがって、本実施形態においては、前記帰還手段１３、抵抗２０および抵抗２２にて駆動回路を形成している。
【００３４】
つぎに、本実施形態の作用を説明する。図示しないスイッチにより交流電源２が投入されると、直流電源装置１は、平滑コンデンサ６の両端に所定の直流電圧を発生する。平滑コンデンサ２の両端電圧が十分立上がる過程または十分立上がった後において、抵抗２１、２２、１１、出力巻線１３bの閉回路に直流電源装置１の出力電圧が印加される。これにより、実質抵抗２２の両端電圧が各スイッチング装置８、９のゲート・ソース間に印加し、順方向となるＮ形のスイッチング装置８のスレッシュホールド電圧に達すると、スイッチング装置８がオンする。
【００３５】
スイッチング装置８がオンすると、直流電源装置１からスイッチング装置８のドレイン・ソースを介して、負荷回路１２に電流が流れる。そして、負荷回路１２に流れる電流は、限流用のインダクタ１４およびフィラメント加熱用のコンデンサ１７により共振電流となる。また、負荷回路１２に流れる電流により帰還手段１３の出力巻線１３bに出力を発生し、スイッチング装置８をオンバイアスし、スイッチング装置９を逆バイアスする。この期間において、スイッチング装置８のゲート・ソース間には略｛（抵抗２２の両端電圧）＋（定電圧素子１８の電圧値）＋（定電圧素子１９の順方向降下電圧）＋（抵抗２０の両端電圧）｝が印加される。定電圧素子１８の電圧値は定電圧素子１９の電圧値より小さい。したがって、帰還手段１３の（負荷電圧）×（負荷電流）に依存する飽和時間は相対的に長いから、スイッチング装置８のオン期間は後述するスイッチング装置９のオン期間より相対的に長くなる（第２図(a)）。
【００３６】
帰還手段１３が飽和すると、出力巻線１３aの出力は無くなり、ついで、逆向きの出力を発生する。したがって、スイッチング装置８がオフし、スイッチング装置９がオンする。スイッチング装置９がオンすると、負荷回路１２にはスイッチング装置９を介して前回とは逆向きの共振電流が流れる。この期間において、スイッチング装置９のゲート・ソース間には略｛（抵抗２０の両端電圧）＋（定電圧素子１９の電圧値）＋（定電圧素子１８の順方向降下電圧）＋（抵抗２２の両端電圧）｝が印加される。定電圧素子１９の電圧値は定電圧素子１８の電圧値より大きい。したがって、変流器１３の（負荷電圧）×（負荷電流）に依存する飽和時間は相対的に短くなり、スイッチング装置９のオン期間を前記スイッチング装置８のオン期間より相対的に短くする（第２図(b)）。
【００３７】
以後、スイッチング装置８、９は異なるオン期間で交互にオンし、これに応じて負荷回路１２は放電灯１６に高周波電圧を供給する。放電灯１６は、フィラメントを予熱された後、始動、点灯する。点灯状態において、スイッチング装置８、９が異なるオン期間で交互にオンすることにより、ランプ電流の正負の波形が異なる（第２図(c)）から、放電灯１６は低温時であってもストライエーションを呈することなく点灯する。
【００３８】
また、本実施形態は、Ｎ形、Ｐ形のスイッチング装置を組合わせて用いることにより、帰還手段１３の出力巻線１３bを１個にできるので、装置全体の一層の小形化を図れる。
【００３９】
そして、一般に、Ｐ形のスイッチング装置は、Ｎ形のスイッチング装置に比して電気特性が劣ることが知られている。本実施形態は、この点を考慮してスイッチング装置９にＰ形のスイチング装置を用いている。すなわち、相対的に駆動電圧が大きくなる方にＰ形を用いているから、スイッチング装置９におけるスイッチングロスを増大して発熱量が増大することを抑止できる。
【００４０】
また、スイッチング装置の発熱量は、各スイッチング装置間で異なることがある。したがって、装置を配線板に実装する場合、相対的に発熱量の少ない部品を他の発熱部品に相対的に接近させて配設することが可能である。
【００４１】
つぎに、本発明の第２の実施形態を説明する。
【００４２】
図３は本発明の第２の実施形態を示す回路図である。図１の実施形態と同一または対応する部分には同じ符号を付して説明を省略する。本実施形態において、帰還手段３０は、限流用および共振用のインダクタである。すなわち、帰還手段３０は、入力巻線３0aおよび出力巻線３０bを有している。
【００４３】
また、定電圧素子１８、１９および抵抗２０の直列回路と並列にコンデンサ３１、３２の直列回路が接続されている。そして、前記出力巻線３０bの一端がインダクタ３３を介して、コンデンサ３１、３２の中間に接続されている。インダクタ３３およびコンデンサ３２は直列共振を行う関係に設定されており、これにより、帰還手段３０の出力巻線３０bの出力電圧の低減化を図っている。コンデンサ３１は、高周波パス（直流カット）用である。
【００４４】
本実施形態の作用を説明する。定電圧素子１８、１９の電圧値が異なることにより、スイッチング装置８の駆動電圧が相対的に小さく、スイッチング装置９の駆動電圧が相対的に大きい。したがって、オン抵抗の差が生じ、スイッチング装置８のドレイン電流は相対的に小さく、スイッチング装置９のドレイン電流は相対的に大きくなる。このため、負荷回路１２内に流れる電流の実効値が正負で同じあると、スイッチング装置８のオン期間がスイッチング装置９のオン期間より長くなる。これにより、負荷回路１２内に流れる電流すなわちランプ電流の波形は正負で異なるものになる。
【００４５】
本実施形態は、帰還手段として変流器を用いるのではなく、限流用のインダクタを利用するから、部品数を減らして、一層小形、低価格化を図れる。また、本実施形態においても、オン抵抗が相対的に小さくなる方にＰ形のスイッチング装置を用いているから、図１の実施形態と同様の効果を得られる。
【００４６】
つぎに、本発明の第３の実施形態を説明する。図４は本発明の第３の実施形態を示す回路図である。本実施形態における一対のスイッチング装置４０、４１は、Ｎ形の電界効果トランジスタで、直流電源装置１に対し出力トランス４２の入力巻線４２aを介して並列的に接続されていて、いわゆる定電流形のプッシュプルインバータを構成している。各スイッチング装置４０、４１のソースはそれぞれ共通接続されている。出力トランス４２は負荷回路４３の一部を構成する絶縁形でかつリーケージ形で、前記入力巻線４２a、出力巻線４２b、フィラメント巻線４２c、４２cおよび帰還手段４２dとしての帰還巻線を有している。入力巻線４２aには出力トランス４２のインダクタンス成分と並列共振するタンクコンデンサ４４が並列接続されている。また、出力巻線４２b、フィラメント巻線４２c、４２cには、放電灯１７が接続されている。
【００４７】
帰還手段４２dの一対の出力端は各スイッチング装置４０、４１のゲートに接続されている。また、帰還手段４２dの両出力端間には、電圧値が異なる定電圧素子４５、４６の直列回路が接続されている。したがって、スイッチング装置４０のゲート・ソース間には主として定電圧素子４５にて決定される駆動電圧が印加され、スイッチング装置４１のゲート・ソース間には主として定電圧素子４６にて決定される駆動電圧が印加される。
【００４８】
４７は、定電流用のインダクタで、インバータへの入力電流を電流保持機能によりフラット化するものである。４８、４９は始動回路を構成する抵抗である。
【００４９】
つぎに、本実施形態の作用を説明する。図示しないスイッチにより電源が投入されると、始動回路によりいずれか一方のスイッチング装置４０、４１が特性の差によりオンする。今、スイッチング装置４０がオンしたとすると、直流電源装置１から入力巻線４２aの上半部、スイッチング装置４０、インダクタ４７、直流電源装置１の経路で電流が流れる。これにより、帰還手段４２dに電圧が発生し、スイッチング装置４０をオンバイアスするからスイッチング装置４０はオンを継続する。そして、並列共振電圧の極性が反転する時点で帰還手段４２dの電圧極性も反転するから、スイッチング装置４０はオフし、スイッチング装置４１がオンする。これにより、今度は直流電源装置１から入力巻線４２aの下半部、スイッチング装置４１、インダクタ４７、直流電源装置１の経路で電流が流れる。そして、逆極性の共振電圧が発生し、この共振電圧の極性が反転する時点で再度スイッチング装置４０がオンし、スイッチング装置４１がオフする。
【００５０】
以後、上記動作を繰り返すが、定電圧素子４５、４６の電圧値が異なるので、各スイッチング装置４０、４１の駆動電圧も異なる。したがって、第２の実施形態（図３）で説明したように、ドレイン電流に差が生じ同じ共振エネルギを流入するために要する時間が異なる。このため、オン期間が異なり、放電灯１７のランプ電流の正負の波形が異なる。
【００５１】
また、本実施形態においては、各構成の定数設定によっては、オン期間は略同等ないしは差が小さいが、ドレイン電流の差により共振エネルギに差が生じ、その結果、ランプ電流の正負の値を異ならせることもできる。この場合も放電灯１７のストライエーション抑止には有効である。
【００５２】
本発明の第４の実施形態を説明する。図５は本発明の第４の実施形態を示す部分回路図である。図５の省略部分はこれまで説明してきた実施形態のものを使用できるし、他の構成も適宜使用できる。本実施形態は、第１の実施形態と同様に帰還手段５０として変流器を用いるものである。スイッチング装置５１、５２はそれぞれＮ形の電界効果トランジスタであって、互いに直列的に接続されている。また、前記帰還手段５０は、入力巻線５０aおよび出力巻線５０b、５０cを有し、入力巻線５０aを負荷回路５３に介挿し、出力巻線５０b、５０cを対応するスイッチング装置５１、５２のゲート・ソースに接続している。
【００５３】
一方の出力巻線５０cの出力端間に一対の定電圧素子５４、５５の直列回路を接続している。各定電圧素子５４、５５の電圧値はそれぞれ異なる値のものが選ばれている。
【００５４】
本実施形態の作用は、これまでの説明から容易に理解されるので説明を省略する。なお、一対の定電圧素子は、各出力巻線それぞれに対応して設けてもよい。この場合、対応するスイッチング装置にとって逆バイアスとなる極性の電圧に作用する定電圧素子を、ダイオード、抵抗等の素子に変更してもよい。
【００５５】
また、本実施形態のように、同形のスイッチング装置（たとえばＮ形）を用いる場合、駆動電圧が相対的に大きく設定される方のスイッチング装置は、相対的に電力損失が小さく発熱量が少ない。したがって、装置を配線板に実装する場合、相対的に発熱量の少ない部品を他の発熱部品に相対的に接近させて配設することが可能である。
【００５６】
本発明の第５の実施形態を説明する。図６は本発明の第５の実施形態を示す回路図である。本実施形態においても、これまでに説明した実施形態と同一または対応する部分には同じ符号を付して説明を省略する。本実施形態における直流電源装置１‘の限流用の抵抗７’は交流側に設けられている。また、本実施形態のスイッチング装置６１、６２はそれぞれＮ形の電界効果トランジスタであり、負荷回路６３は図１の実施形態と同様な可飽和形の変流器からなる帰還手段６４を有している。そして、帰還手段６４は共通の入力巻線６４ａに対して一対の出力巻線６４ｂ、６４ｃを設けている。
【００５７】
各出力巻線６４ｂ、６４ｃの両端は、スイッチング装置６１、６２のゲート・ソースに接続され、各出力巻線６４ｂ、６４ｃの両端間にはそれぞれ定電圧素子６５、６６、６７、６８が接続されている。定電圧素子６５と６７との定電圧の値は、１：１．１以上に設定されている。定電圧素子６６と６８との定電圧の値は等しくても異なっていてもよいが、種類を増加させない点で等しい方が好ましい。
【００５８】
抵抗６９、コンデンサ７０、７１、トリガ素子７２は始動回路を構成し、抵抗７３およびコンデンサ７４はスナバ回路を形成している。また、ダイオード７５および抵抗７６はコンデンサ７０の放電用の抵抗である。
【００５９】
本実施形態においても、スイッチング装置６１、６２のゲート・ソース間電圧が異なるから、放電灯１６のランプ電流の正負波形を異ならせ、ストライエーションを防止できる。
【００６０】
本発明の照明装置の一実施形態を説明する。図７は本発明の照明装置の一実施形態を示す一部断面正面図である。本実施形態は、いわゆる電球形けい光ランプに適用したものである。８０は照明器具本体であり、口金部８１、ベース部８２およびカバー８３を有する。８４は放電灯で、鞍形に折曲形成されており、それぞれフィラメント８４aを有する端部を仕切り板８５に設けられた筒部８５aに接着剤８６等により保持されている。
【００６１】
８７は放電灯点灯装置で、配線基板８８に電子部品８９を装着して構成されており、前記仕切り板８５に支持されている。９０は放電灯８４の折曲側先端部９１を仕切り板８５に耐衝撃性を持たせて保持するためのシリコーン等の保持部材である。
【００６２】
【発明の効果】
請求項１記載の発明は、相補形の電界効果トランジスタの駆動電圧を一定化するために相補形の電界効果トランジスタのゲート・ソース間に互いに直列接続されて設けられた一対の定電圧素子の電圧値を異ならせることにより、放電灯のランプ電流の正負の波形を異ならせるか、正負の電流値を異ならせるか、または、両方を異ならせることができ、これによって放電灯のストライエーションの問題を解消または低減できる。しかも、電界効果トランジスタに普通用いられている駆動電圧一定化用の定電圧素子を利用するので、装置を小形、安価に提供できる。
【００６３】
請求項２記載の発明は、請求項１の発明と同様な効果を奏する照明装置を提供できる。
【図面の簡単な説明】
【図１】本発明の一実施形態を示す回路図
【図２】本発明の一実施形態の作用を示す電流波形図
【図３】本発明の第２の実施形態を示す回路図
【図４】本発明の第３の実施形態を示す回路図
【図５】本発明の第４の実施形態を示す回路図
【図６】本発明の第５の実施形態を示す回路図
【図７】本発明の照明装置の一実施形態を示す一部断面正面図
【符号の説明】
１…直流電源装置、８、９…スイッチング装置、１２…負荷回路、１３…帰還手段、１６…放電灯、１８、１９…定電圧素子。
【図１】
0004362856.tif 000002
【図２】
0004362856.tif 000003
【図３】
0004362856.tif 000004
【図４】
0004362856.tif 000005
【図５】
0004362856.tif 000006
【図６】
0004362856.tif 000007
【図７】
0004362856.tif 000008